(57)【特許請求の範囲】
【請求項１】
モータと、このモータの動力で小型メモリカードを移送させるローディング機構と、このローディング機構によって挿入された上記小型メモリカードの複数の接触部とそれぞれ接触する複数の端子部材とを備えるとともに、
上記小型メモリカードが、一方の側縁に第１凹部を有し、他方の側縁に第２凹部を有し、
上記ローディング機構が、上記モータの動力で上記小型メモリカードの上記移送方向に移動する移動部材と、この移動部材に設けられ、上記小型メモリカードの上記第１凹部に係合可能な第１係合部材、及び上記第２凹部に係合可能な第２係合部材とを備え、
上記第１係合部材、第２係合部材のそれぞれが、上記小型メモリカードの上記第１凹部、第２凹部のそれぞれ対応するものに係合して上記小型メモリカードを上記移動部材とともに移送させることを特徴とするカード接続装置。
【請求項２】
上記請求項１記載の発明において、
上記第１係合部材、第２係合部材のそれぞれを上記移動部材に回動可能に設けるとともに、
本体を形成するシャーシに、上記第１係合部材を回動させる第１回動手段、及び上記第２係合部材を回動させる第２回動手段を設けたことを特徴とするカード接続装置。
【請求項３】
上記請求項２記載の発明において、
上記第１回動手段がカム溝を有する第１溝を含むとともに、上記第２回動手段がカム溝を有する第２溝を含み、
上記第１係合部材、第２係合部材が、上記第１溝、第２溝のそれぞれ対応するものに沿って移動することにより、これらの第１係合部材、第２係合部材を回動させて、上記小型メモリカードの第１凹部、第２凹部の対応するものに係合、離脱させることを特徴とするカード接続装置。
【請求項４】
上記請求項１記載の発明において、
上記第１凹部、第２凹部を、上記小型メモリカードの移送方向に対し、互いにずらした位置にそれぞれ設けるとともに、
上記第１係合部材、第２係合部材を、上記第１凹部、第２凹部に対応させて、上記移動部材の移動方向に対し、互いにずらした位置にそれぞれ設けることを特徴とするカード接続装置。
【請求項５】
上記請求項４記載の発明において、
上記ローディング機構によって挿入された状態で、上記小型メモリカードの上記第１凹部が奥側に位置し、上記第２凹部が手前側に位置するとともに、
上記第１係合部材を上記第１凹部に係合させ、上記第２係合部材を上記第２凹部に係合させたときに、
上記第１係合部材の回動支点が、上記小型メモリカードの挿入口と上記第１凹部との間の領域に位置するように、あらかじめ設定したことを特徴とするカード接続装置。
【発明の詳細な説明】
【０００１】
【発明の属する技術分野】
本発明は、各種電子装置に装着される情報カード、すなわち小型メモリカードを移送させるローディング機構を備えたカード接続装置に関する。
【０００２】
【従来の技術】
この種の従来技術として、モータと、このモータの動力で小型メモリカードを移送させるローディング機構と、このローディング機構によって挿入された小型メモリカードの複数の接触部とそれぞれ接触する複数の端子部材とを備えたカード接続装置がある。上述したローディング機構は、小型メモリカードを移送させるローラを備えている。このローラは、カード移送路の上方に配置される場合とか、カード移送路を挟むように上下のそれぞれに配置される場合などがある。
【０００３】
【発明が解決しようとする課題】
上述した従来技術では、ローディング機構がローラを含むことから、厚さ寸法が大きくなり、薄型化を実現できない問題がある。
【０００４】
このような事情から、ローラを設けることなく小型メモリカードの移送を実施できるものが要望されている。このような要望に対しては、ローディング機構に含まれ、小型メモリカードを移送させる移動部材に、小型メモリカードの一方の側縁に形成されている凹部に係合可能な係合部材を設け、この係合部材を小型メモリカードの凹部に係合させることにより、小型メモリカードを移送させることが考えられる。
【０００５】
しかし、このようなローディング機構では、小型メモリカードの移送時に、小型メモリカードの一方の側縁にのみ力を伝えながら移送させることから、小型メモリカードの他方の側縁が傾いて移送路を形成する側壁に摺接することが懸念される。このように小型メモリカードが移送路の壁に摺接すると、これが抵抗となってモータにかかる負荷が大きくなり、容量の大きなモータが必要になる。このために製作費が高くなるという別の問題を生じてしまう。
【０００６】
本発明は、上記した従来技術における実状からなされたもので、その目的は、ローラを要することなく小型メモリカードの移送を実現できるとともに、この小型メモリカードを円滑に移送させることができるカード接続装置を提供することにある。
【０００７】
【課題を解決するための手段】
上記目的を達成するために、本発明は、モータと、このモータの動力で小型メモリカードを移送させるローディング機構と、このローディング機構によって挿入された上記小型メモリカードの複数の接触部とそれぞれ接触する複数の端子部材とを備えるとともに、上記小型メモリカードが、一方の側縁に第１凹部を有し、他方の側縁に第２凹部を有し、上記ローディング機構が、上記モータの動力で上記小型メモリカードの上記移送方向に移動する移動部材と、この移動部材に設けられ、上記小型メモリカードの上記第１凹部に係合可能な第１係合部材、及び上記第２凹部に係合可能な第２係合部材とを備え、上記第１係合部材、第２係合部材のそれぞれが、上記小型メモリカードの上記第１凹部、第２凹部のそれぞれ対応するものに係合して上記小型メモリカードを上記移動部材とともに移送させる構成にしてある。
【０００８】
このように構成した本発明では、小型メモリカードの移送に際し、小型メモリカードの一方の側縁に形成される第１凹部に第１係合部材が係合し、他方の側縁に形成される第２凹部に第２係合部材が係合した状態で移送がおこなわれるので、移送のためのローラ等を要することがない。また、小型メモリカードの両側縁に移送のための力が伝えられるので、この小型メモリカードに移送中、傾きを生じることが少なく、従ってこの小型メモリカードを円滑に移送させることができる。
【０００９】
また上記発明において、上記第１係合部材、第２係合部材のそれぞれを上記移動部材に回動可能に設けるとともに、本体を形成するシャーシに、上記第１係合部材を回動させる第１回動手段、及び上記第２係合部材を回動させる第２回動手段を設けた構成にしてある。
【００１０】
この構成により、小型メモリカードの移送路上において、第１、第２回動手段により、第１、第２係合部材を回動させて小型メモリカードの両側縁の第１、第２凹部に対するこれらの第１、第２係合部材の係合、離脱を確実におこなわせることができる。
【００１１】
また上記発明において、上記第１回動手段がカム溝を有する第１溝を含むとともに、上記第２回動手段がカム溝を有する第２溝を含み、上記第１係合部材、第２係合部材が、上記第１溝、第２溝のそれぞれ対応するものに沿って移動することにより、これらの第１係合部材、第２係合部材を回動させて、上記小型メモリカードの第１凹部、第２凹部の対応するものに係合、離脱させる構成にしてある。
【００１２】
この構成により、シャーシに第１、第２溝を形成する簡単な構造で小型メモリカードの移送を実現できる。
【００１３】
また上記発明において、上記第１凹部、第２凹部を、上記小型メモリカードの移送方向に対し、互いにずらした位置にそれぞれ設けるとともに、上記第１係合部材、第２係合部材を、上記第１凹部、第２凹部に対応させて、上記移動部材の移動方向に対し、互いにずらした位置にそれぞれ設ける構成にしてある。
【００１４】
この構成により、第１、第２係合部材の配置が一義的でなく、これらの第１、第２係合部材の配置設計に対する大きな自由度を確保することができる。
【００１５】
また上記発明において、上記小型メモリカードの上記第１凹部を奥側に位置させ、上記第２凹部を手前側に位置させ、上記第１，第２係合部材を上記第１，第２凹部に係合させたときに、上記第１係合部材の回動支点が、上記小型メモリカードの挿入口と上記第１凹部との間の領域に位置するように、あらかじめ設定した構成にしてある。
【００１６】
この構成により、挿入された小型メモリカードが所定のカード装着位置に至ったとき、奥側に位置する小型メモリカードの第１凹部よりも挿入口側に第１係合部材の回動支点が位置するので、この回動支点と、奥側に配置されるコネクタ等の部品との干渉を防止することができる。
【００１７】
【発明の実施の形態】
以下，本発明のカード接続装置の実施形態を図に基づいて説明する。
【００１８】
図１〜９は本発明の一実施形態を示す図である。図１は本実施形態で使用される小型メモリカード１及び本実施形態に備えられるコネクタ５を示す平面図、図２は本実施形態に備えられる移動部材７を示す平面図である。
【００１９】
図１に示すように、本実施形態で使用される小型メモリカード１はコネクタ５の端子部材６に接触する接触部２を裏面に備え、一方の側縁に第１凹部３を、他方の側縁に第２凹部４を有する。上述した第１凹部３、第２凹部４は、小型メモリカード１の移送方向に対し、互いにずらした位置に設けてある。すなわち、後述のローディング機構によって挿入された状態で、小型メモリカード１の第１凹部３が奥側に位置し、第２凹部４が手前側に位置するようになっている。
【００２０】
上述の小型メモリカード１を移送させる図２に示す移動部材７は、裏面に小型メモリカード１の先端部が係止される係止部を有する。またこの移動部材７は、同図２に示すように両側縁部のそれぞれに、小型メモリカード１の第１凹部３に係合可能な第１係合部材８と、第２凹部４に係合可能な第２係合部材１０とを備えている。これらの第１係合部材８、第２係合部材１０は、小型メモリカード１の第１凹部３、第２凹部４に対応させて、その移動部材７の移動方向、すなわち図２に示す矢印３６方向に対し、互いにずらした位置に設けてある。
【００２１】
なお、図１においては、移動部材７の本体を除き、第１係合部材８、第２係合部材１０だけを描いてある。この図１にも示すように、第１係合部材８は下方に向って伸設されたピン９を備えるとともに、移動部材７の本体に設けられた軸１２を回動支点として回動可能になっている。同様に、第２係合部材１０も下方に向って伸設されたピン１１を備えるとともに、移動部材７の本体に設けた軸１３を回動支点として回動可能になっている。
【００２２】
図３は本実施形態に備えられるコネクタ５の位置決め構造を示す側断面図である。
【００２３】
本実施形態は、図３に示すコネクタ５を、装置本体を形成するシャーシ１６に対し、その上下方向に位置決めする第１位置決め手段を備えている。この第１位置決め手段は、例えば基板１４上に実装されたコネクタ５の本体を形成するハウジングに設けた係合部１７と、シャーシ１６に設けられ、係合部１７が嵌入される溝部２０とから成っている。
【００２４】
コネクタ５は、そのハウジングに並設される複数の端子部材６を有する。また、端子部材６の小型メモリカード１の接触部２と接触する側とは反対側の端部５ａは半田付け可能に形成されており、例えば基板１４に半田付けしてある。
【００２５】
基板１４はねじ１５によってシャーシ１６に固定してある。また基板１４の下方部分のシャーシ１６上には、この基板１４の撓みを許容させる空隙部２１を設けてある。
【００２６】
また本実施形態は、コネクタ５を覆うカバー１８と、このカバー１８をコネクタ５に対し、その上下方向に位置決めする第２位置決め手段を備えている。この第２位置決め手段は、例えばコネクタ５に上方に向かって伸設するように設けられ、カバー１８の下面が当接する当接部１９から成っている。
【００２７】
上述したシャーシ１６は、図３に示すように、カバー１８の端部をコネクタ５に押圧する押圧部２２を備えている。すなわち、カバー１８が押圧部２２と前述の当接部１９に挟まれることによりコネクタ５の当接部１９に押圧される。
【００２８】
図４は本実施形態に小型メモリカード１を挿入した初期形態において、カバー１８を取り外した状態を示す平面図、図５は図４に示す初期形態において、移動部材７及びこの移動部材７の駆動機構を取り外した状態を示す平面図である。
【００２９】
図４に示すように、本実施形態は、モータ２９と、このモータ２９の駆動によって回転するギヤ機構３０と、このギヤ機構３０の回転により直進動するラック３１を備えている。また、一端をラック３１に連結され、他端を図２に示す移動部材７に連結されるばね３２を備えている。さらに、移動部材７の係合により作動する第１スイッチ２７、第２スイッチ２８を備えている。第１スイッチ２７は、例えば移動部材７が係合しない状態ではＯＮ信号を出力し、移動部材７が係合したときにＯＦＦ信号を出力する。第２スイッチ２８は、例えば移動部材７が係合しない状態ではＯＦＦ信号を出力し、移動部材７が係合したときにＯＮ信号を出力する。
【００３０】
上述したギヤ機構３０、ラック３１、及びばね３２によって、移動部材７を移動させる駆動機構が構成されている。
【００３１】
この駆動機構と、移動部材７と、モータ２９と、第１スイッチ２７と、第２スイッチ２８とにより、シャーシ１６の挿入口３３から挿入された小型メモリカード１を移送させるローディング機構が構成されている。
【００３２】
また本実施形態は、図５に示すように、シャーシ１６の両側縁部に沿ってそれぞれカム溝を含む第１溝２５、第２溝２６を設けてある。前述した移動部材７の第１係合部材８のピン９は、第１溝２５内に摺動可能に設けてある。同様に、第２係合部材１０のピン１１は、第２溝２６内に摺動可能に設けてある。
【００３３】
上述したピン９と第１溝２５は、第１係合部材８を回動させる第１回動手段を構成し、ピン１１と第２溝２６は、第２係合部材１０を回動させる第２回動手段を構成している。
【００３４】
図４，５に示すように、小型メモリカード１がシャーシ１６の挿入口３３から軽く挿入された初期形態では、移動部材７と第１スイッチ２７との間に数ミリ程度の隙間が確保されるようにあらかじめ設定してある。従って、第１スイッチ２７は前述のようにＯＮ状態に維持される。
【００３５】
図６は図４に示す初期状態から小型メモリカード１が押し込まれ、ローディングが開始されたときの形態において、カバー１８を取り外した状態を示す平面図である。図７はローディングが完了した形態において、カバー１８を取り外した状態を示す平面図、図８は図７に示すローディング完了形態において、移動部材７及びこの移動部材７の駆動機構を取り外した状態を示す平面図である。図９はイジェクト完了形態において、カバー１８を取り外した状態を示す平面図である。
【００３６】
本実施形態は、例えば図８に示すように、移動部材７の第１係合部材８を小型メモリカード１の第１凹部３に係合させ、第２係合部材１０を第２凹部４に係合させたときに、装置の奥側に位置する第１係合部材８の回動支点すなわち軸１２が、シャーシ１６に形成された小型メモリカード１の挿入口３３と第１凹部３との間の領域に位置するようにあらかじめ設定してある。
【００３７】
上述のように構成した本実施形態の動作について、主に図４〜９に基づいて以下に説明する。
【００３８】
［初期形態］
図４，５はシャーシ１６の挿入口３３から小型メモリカード１が軽く挿入された初期形態を示している。この形態にあっては、第１スイッチ２７はＯＮに保持されており、モータ２９は作動しない。また、図５に示すように、移動部材７に設けられた第１係合部材８は小型メモリカード１の第１凹部３に係合していない。同様に第２係合部材１０も小型メモリカード１の第２凹部４に係合していない。
【００３９】
［ローディング開始］
上述の初期形態から図６の矢印３５方向に小型メモリカード１が例えば数ｍｍ程度押し込まれると、この小型メモリカード１の先端部が移動部材７の係止部に係止され、小型メモリカード１の押し込み動作に伴って移動部材７がばね３２の力に抗して移動する。これにより移動部材７が第１スイッチ２７に係合し、この第１スイッチ２７がＯＦＦとなる。この第１スイッチ２７のＯＦＦ信号によりモータ２９が作動し、ギヤ機構３０を介してラック３１の移動が始まる。すなわちローディングが開始される。
【００４０】
また、上述した小型メモリカード１の押し込み動作に伴う移動部材７の移動により、前述した第１係合部材８のピン９が第１溝２５に含まれるカム溝上を摺動し、また、第２係合部材１０が第２溝２６に含まれるカム溝上を摺動する。これにより、第１係合部材８が軸１２を中心に回動し、小型メモリカード１の第１凹部３に係合する。同様に、第２係合部材１０が軸１３を中心に回動し、第２凹部４に係合する。従って、ローディングが始まってラック３１が装置の奥側に向って移動すると、ばね３２を介して移動部材７と小型メモリカード１とが一体となって装置の奥側に向って移動する。
【００４１】
［ローデイング完了］
上述のようにラック３１の移動に追従するようにして移動する移動部材７が、図７，８に示すように第２スイッチ２８に係合すると、この第２スイッチ２８がそれまでのＯＦＦからＯＮとなる。この第２スイッチ２８のＯＮ信号によりモータ２９が作動を停止する。これにより、ギヤ機構３０は回転を停止し、ラック３１は直線動を停止し、ばね３２を介して移動部材７、及び小型メモリカード１は移動を停止する。すなわちローディングが完了する。
【００４２】
これにより小型メモリカード１は所定の装着位置に至り、その接触部２がコネクタ５の端子部材６に接触する。従って、小型メモリカード１に対する所望の信号の送受信が可能となる。
【００４３】
［イジェクト動作］
小型メモリカード１を排出させる場合には、図９に例示する別に設けられたイジェクト釦３４が操作される。このイジェクト釦３４の操作信号に応じてモータ２９が反転動作を開始する。
【００４４】
これにより、ギヤ機構３０を介してラック３１がローディング時とは逆方向、すなわち挿入口３３方向に移動を開始するイジェクト動作が実施される。ラック３１の移動によりばね３２を介して移動部材７、及び小型メモリカード１が挿入口３３方向に移動し、移動部材７との係合が解かれる。これに伴い、第２スイッチ２８は、それまでのＯＮからＯＦＦとなる。
【００４５】
ラック３１の移動に伴って移動部材７がさらに移動し、この移動部材７と第１スイッチ２７との係合が解かれると、この第１スイッチ２７は、それまでのＯＦＦからＯＮとなる。この第１スイッチ２７のＯＮ信号によりモータ２９は停止する。これによりギヤ機構３０は回転を停止し、ラック３１は直線動を停止し、ばね３２を介して移動部材７、及び小型メモリカード１は移動を停止する。すなわち小型メモリカード１が所定の排出位置まで移送され、イジェクト完了となる。図９は、このイジェクト完了時の形態を示している。
【００４６】
なお、この間、移動部材７の第１係合部材８のピン９が第１溝２５のカム溝上を摺動することにより、この第１係合部材８が前述とは逆方向に回動し、この第１係合部材８が小型メモリカード１の第１凹部３から離脱する。すなわち係合が解除される。同様に、第２係合部材１０のピン１１が第２溝２６のカム溝上を摺動することにより、この第２係合部材１０が前述とは逆方向に回動し、この第２係合部材８が第２凹部４から離脱し、係合が解除される。
【００４７】
図９に示す形態は前述のようにイジェクト完了形態を示しているが、この形態は前述した図４に示す小型メモリカード１の挿入時の初期形態に一致する。
【００４８】
このように構成した本実施形態によれば、小型メモリカード１の移送に際し、小型メモリカード１の一方の側縁に形成される第１凹部３に第１係合部材８が係合し、他方の側縁に形成される第２凹部４に第２係合部材１０が係合した状態において移送がおこなわれるので、移送のためのローラ等を要することがない。従って、薄型化を実現できる。また、小型メモリカード１の両側縁に移送のための力が伝えられるので、この小型メモリカード１の移送中に、傾きを生じることが少なく、従ってこの小型メモリカード１を円滑に移送させることができる。これにより、小型メモリカード１の移送に伴う抵抗を小さく抑えることができ、従って、容量の比較的小さなモータ２９による移送を実現でき、製作費を安くすることができる。
【００４９】
また、移動部材７の移動に伴って、第１係合部材８のピン９をカム溝を含む第１溝２５上を摺動させることにより、第１係合部材８を回動させ、第２係合部材１０のピン１１をカム溝を含む第２溝２６上を摺動させることにより、第２係合部材１０を回動させ、それぞれ第１凹部３、第２凹部４に対し、係合、離脱させるようにしてある。これにより、第１，第２凹部３，４に対する第１，第２係合部材８，９の係合、離脱を確実におこなわせることができ、小型メモリカード１の安定した移送の実現に貢献する。
【００５０】
また、第１溝２５とピン９との組み合わせ、第２溝２６とピン１１との組み合わせにより、第１，第２係合部材８，９を回動させるようにしてあり、これらの第１，第２溝２５，２６、及びピン９，１１は簡単な構造とすることができる。これにより、製作費を安く抑えることができる。
【００５１】
また、第１凹部３、第２凹部４を、小型メモリカード１の移送方向に対して、互いにずらした位置にそれぞれ設けるとともに、第１係合部材８、第２係合部材１０を、移動部材７の移動方向に対し、互いにずらした位置に設けてある。これにより、第１，第２係合部材８，１０の配置が一義的でなく、すなわち、第１，第２係合部材８，１０を移動部材７の移動方向と直交する方向の対応する位置に設けることに限定されず、これらの第１，第２係合部材の配置設計に対する自由度を確保できる。従って、移動部材７の移動に伴う第１，第２係合部材８，１０の移動路上に選択的に部品配置空間を確保でき、このような配置空間に別のスイッチ等の特定の部品を設けることも可能となる。
【００５２】
また、小型メモリカード１の第１凹部３が装置の奥側に位置し、第１係合部材８を第１凹部３に係合させたときに、第１係合部材８の回動支点を形成する軸１２が、小型メモリカード１の挿入口３３と第１凹部３との間に位置するようにあらかじめ設定してある。これにより、小型メモリカード１が図７，８に示す所定のカード装着位置に至ったとき、この第１係合部材８の軸１２部分と、装置奥側に位置する部品との干渉を防止でき、小型メモリカード１の安定した移送に貢献する。
【００５３】
また、図３に示すように、コネクタ５をシャーシ１６に対し、その上下方向に位置決めする第１位置決め手段、すなわち、コネクタ５に形成した係合部１７と、シャーシ１６に形成した溝部２０とから成る第１位置決め手段を設けてある。この第１位置決め手段によりコネクタ５をシャーシ１６に対し、その上下方向に位置決めするので、シャーシ１６に対するコネクタ５の端子部材６の上下方向の位置は、主にコネクタ５の高さ寸法公差に依存するだけとなる。これにより、小型メモリカード１の接触部２とコネクタ５の端子部材６とを確実に接触させ、これらの間に所望の接触圧を確保でき、小型メモリカード１の接触部２とコネクタ５の端子部材６との間の信号の精度の高い送受信性能を維持できる。
【００５４】
また、コネクタ５の一部に係合部１７を設け、シャーシ１６に溝部２０を設けるだけの簡単な構成であり、製作が容易で、製作費を安く抑えることができる。
【００５５】
また、コネクタ５を覆うカバー１８と、このカバー１８をコネクタ５に対し、その上下方向に位置決めする第２位置決め手段、すなわちコネクタ５に設けられ、カバー１８が当接する当接部１９を設けてある。これにより、シャーシ１６上を移送される小型メモリカード１をコネクタ５部分においてカバー１８との間にほとんど空隙を生じないように設定することが可能となる。従って、小型メモリカード１の接触部２をコネクタ５の端子部材６に接触させた際、その接触部分の上下方向の移動をカバー１８によって規制でき、所望の接触圧の確保に貢献する。
【００５６】
上述のように、コネクタ５に当接部１９を設ければ済むので、コネクタ５の製作時に同時に当接部１９も作ることができ、製作が容易で、製作費を安く抑えることができる。
【００５７】
また、図３に示すように、シャーシ１６がカバー１８をコネクタ５に押圧する押圧部を備えている。これにより、コネクタ５に対するカバー１８の位置決め精度が高められ、所望の接触圧の確保に貢献する。
【００５８】
また、コネクタ５の端子部材６が、上下方向に弾性変形可能な金属帯片から成っている。これにより、所望の接触圧の確保に貢献するとともに、適宜弾性変形することによりコネクタ５の高さ寸法公差の吸収に貢献する。
【００５９】
また、コネクタ５は図３に示すように、端子部材６が、その本体を形成するハウジングに並設されるとともに、端子部材６の小型メモリカード１と接触する側とは反対側の端部５ａが、基板１４に半田付けされ、さらにハウジングが、前述したようにシャーシ１６に係合し各端子部材６の小型メモリカード１の接触部２に対する接触位置を規定する係合部１４を有する。これにより前述したように、シャーシ１６に対する端子部材６の上下方向の位置は、主にこのコネクタ５の高さ寸法公差に依存するだけとなり、小型メモリカード１の接触部２とコネクタ５の端子部材６との間に所望の接触圧を確保でき、小型メモリカード１とコネクタ５間の信号の精度の高い送受信性能を維持できる。
【００６０】
図１０は本発明の別の実施形態の要部を示す側面図、図１１は図１０に示す別の実施形態に備えられるコネクタを示す斜視図、図１２は図１０に示すコネクタを裏側から見た斜視図である。
【００６１】
これらの図１０〜１２に示す別の実施形態では、カバー１８をコネクタ５に対し、上下方向と直交する方向に位置決めする第３位置決め手段を備えている。この第３位置決め手段は、例えば図１０，１１に示すように、コネクタ５の上面側に設けた位置決めボス２３ａと、カバー１８に設けられ、位置決めボス２３ａが嵌入される穴２４ａとから構成されている。
【００６２】
また、コネクタ５を基板１４に対し、上下方向と直交する方向に位置決めする第４位置決め手段を備えている。この第４位置決め手段は、例えば図１０，１２に示すように、コネクタ５の下面側に設けた位置決めボス２３ｂと、基板１４に設けられ、位置決めボス２３ｂが嵌入される穴２４ｂとから構成されている。
【００６３】
その他の構成は、前述した実施形態と同等である。
【００６４】
このように構成した別の実施形態では特に、カバー１８とコネクタ５との強固な連結構造、及びコネクタ５と基板１４との強固な連結構造を形成でき、カバー１８をコネクタ５に対して安定に保持させることができ、また、コネクタ５を基板１４に対して安定して保持させることができる。これにより、装置構造に対する信頼性を向上させることができる。
【００６５】
【発明の効果】
以上述べたように本発明は、ローディング機構に含まれる移動部材に備えられる第１，第２係合部材を、小型メモリカードに設けた第１，第２凹部のそれぞれに係合させて小型メモリカードを移送させる構成にしてある。これにより、ローラを要することなく小型メモリカードの移送を実現でき、薄型化を実現できる。また、小型メモリカードを移送路の側壁に接することなく安定して移送させることができ、この小型メモリカードの移送に伴う抵抗を小さく抑えることができる。従って、容量の比較的小さなモータによる移送を実現でき、製作費を安く抑えることができる。
【００６６】
また、本体を形成するシャーシに、上記第１係合部材を回動させる第１回動手段、及び上記第２係合部材を回動させる第２回動手段を設けた構成にしてある。これにより、第１、第２回動手段により、小型メモリカードの両側縁の第１凹部、第２凹部に対する第１、第２係合部材の係合、離脱を確実におこなわせることができ、小型メモリカードの安定した移送の実現に貢献する。
【００６７】
また、上述の第１係合部材、第２係合部材が、カム溝をそれぞれ有する上記第１溝、第２溝の対応するものに沿って移動することにより、これらの第１係合部材、第２係合部材を回動させて、上記小型メモリカードの第１凹部、第２凹部の対応するものに係合、離脱させる構成にしてある。これにより、シャーシに第１、第２の溝を形成するだけの簡単な構造とすることができ、製作費を安く抑えることができる。
【００６８】
また、第１凹部、第２凹部を、小型メモリカードの挿抜方向に対し、互いにずらした位置にそれぞれ設けるとともに、第１係合部材、第２係合部材を、第１凹部、第２凹部に対応させて、移動部材の移動方向に対し、互いにずらした位置にそれぞれ設ける構成にしてある。これにより、第１、第２係合部材の配置設計に対する大きな自由度を確保でき、第１、第２係合部材の移送路上に選択的に配置空間を確保でき、このような配置空間に他の必要な部品を設ける場合に有効である。
【００６９】
また、小型メモリカードの第１凹部が装置奥側に位置し、第１係合部材を第１凹部に係合させたときに、第１係合部材の回動支点が、小型メモリカードの挿入口と第１凹部との間に位置するようにあらかじめ設定した構成にしてある。これにより、小型メモリカードが所定のカード装着位置に至ったとき、この第１係合部材の回動支点と、奥側に配置される部品との干渉を防止でき、小型メモリカードの安定した移送に貢献する。
【図面の簡単な説明】
【図１】本発明のカード接続装置の一実施形態で使用される小型メモリカード及び一実施形態に備えられるコネクタを示す平面図である。
【図２】本発明の一実施形態に備えられる移動部材を示す平面図である。
【図３】本発明の一実施形態に備えられるコネクタの位置決め構造を示す側断面図である。
【図４】本発明の一実施形態に小型メモリカードを挿入した初期形態において、カバーを取り外した状態を示す平面図である。
【図５】図４に示す初期形態において、移動部材及びこの移動部材の駆動機構を取り外した状態を示す平面図である。
【図６】図４に示す初期形態から小型メモリカードが押し込まれ、ローディングが開始されたときの形態において、カバーを取り外した状態を示す平面図である。
【図７】ローディングが完了した形態において、カバーを取り外した状態を示す平面図である。
【図８】図７に示すローディング完了形態において、移動部材及びこの移動部材の駆動機構を取り外した状態を示す平面図である。
【図９】イジェクト完了形態において、カバーを取り外した状態を示す平面図である。
【図１０】本発明の別の実施形態の要部を示す側断面図である。
【図１１】図１０に示す別の実施形態に備えられるコネクタを示す斜視図である。
【図１２】図１０に示すコネクタを裏側から見た斜視図である。
【符号の説明】
１    小型メモリカード
２    接触部
３    第１凹部
４    第２凹部
５    コネクタ
５ａ  端部
６    端子部材
７    移動部材（ローディング機構）
８    第１係合部材
９    ピン
１０  第２係合部材
１１  ピン
１２  軸（回動支点）
１３  軸（回動支点）
１４  基板
１５  ねじ
１６  シャーシ
１７  係合部（第１位置決め手段）
１８  カバー
１９  当接部（第２位置決め手段）
２０  溝部（第１位置決め手段）
２１  空隙部
２２  押圧部
２３ａ  位置決めボス（第３位置決め手段）
２３ｂ  位置決めボス（第４位置決め手段）
２４ａ  穴（第３位置決め手段）
２４ｂ  穴（第４位置決め手段）
２５    第１溝（第１回動手段）
２６    第２溝（第２回動手段）
２７    第１スイッチ（ローディング機構）
２８    第２スイッチ（ローディング機構）
２９    モータ（ローディング機構）
３０    ギヤ機構（ローディング機構）
３１    ラック（ローディング機構）
３２    ばね（ローディング機構）
３３    挿入口
３４    イジェクト釦
【図１】
0003920700.tif 000002
【図２】
0003920700.tif 000003
【図３】
0003920700.tif 000004
【図４】
0003920700.tif 000005
【図５】
0003920700.tif 000006
【図６】
0003920700.tif 000007
【図７】
0003920700.tif 000008
【図８】
0003920700.tif 000009
【図９】
0003920700.tif 000010
【図１０】
0003920700.tif 000011
【図１１】
0003920700.tif 000012
【図１２】
0003920700.tif 000013